(57)【要約】【課題】所定の行政区画の範囲内の施設を簡単に検索することができる地図表示装置およびナビゲーション装置を提供する。【解決手段】道路地図２０に表示されている行政区画名２１を押圧すると、施設のジャンルを表示したジャンル検索画面３０が表示される。ジャンル検索画面３０に表示されたジャンル３１ａ〜３１ｅから探している施設のジャンルを選択すると、選択したジャンルを分類した施設区分がリスト表示される。リスト表示された施設区分から探している施設の施設区分を選択すると、押圧した行政区画名に係る行政区画の範囲内で施設が検索され、検索結果がリスト表示される。【選択図】図３
2007199979.tif 000002
【特許請求の範囲】
【請求項１】
表示モニタに表示された行政区画名を選択する選択手段と、
前記選択手段によって行政区画名が選択されると、分類された施設区分を表示する施設区分表示手段と、
前記施設区分表示手段によって表示された施設区分の中から選択された施設区分の施設を、前記選択手段によって選択された行政区画名に係る行政区画の範囲内で検索する検索手段と、
前記検索手段によって検索された施設を表示する施設表示手段とを備えることを特徴とする地図表示装置。
【請求項２】
請求項１に記載の地図表示装置において、
前記施設表示手段によって表示された施設の中から選択された施設についての詳細情報を表示する詳細情報表示手段を備えることを特徴とする地図表示装置。
【請求項３】
請求項１または２に記載の地図表示装置において、
前記表示モニタの表示画面にはタッチパネルが設けられ、
前記選択手段は、タッチパネルの押圧操作によって前記行政区画名を選択することを特徴とする地図表示装置。
【請求項４】
請求項１乃至３のいずれか１項に記載の地図表示装置において、
前記選択手段によって選択することができる行政区画名を点滅表示することを特徴とする地図表示装置。
【請求項５】
請求項１に記載の地図表示装置において、
前記施設区分表示手段は、前記選択手段によって選択された行政区画名に係る行政区画の上位の行政区画名を表示し、
前記検索手段は、前記上位の行政区画名が選択された場合、前記施設区分表示手段によって表示された施設区分の中から選択された施設区分の施設を、前記上位の行政区画名に係る行政区画の範囲内で検索することを特徴とする地図表示装置。
【請求項６】
請求項１に記載の地図表示装置において、
前記施設区分表示手段は、前記選択手段によって選択された行政区画名に係る行政区画内に存在する施設区分のみを表示する、または前記選択手段によって選択された行政区画名に係る行政区画内に存在する施設区分を前記行政区画内に存在しない施設区分と表示態様を変えて表示することを特徴とする地図表示装置。
【請求項７】
請求項１に記載の地図表示装置において、
前記表示モニタに行政区画名が表示されると前記表示された行政区画名に係る行政区画内の施設を抽出する抽出手段を備え、
前記検索手段は、前記施設区分表示手段によって表示された施設区分の中から選択された施設区分の施設を、前記抽出手段によって抽出された施設の範囲内で検索することを特徴とする地図表示装置。
【請求項８】
請求項１乃至７のいずれか１項に記載の地図表示装置を備えることを特徴とするナビゲーション装置。
【請求項９】
請求項８に記載のナビゲーション装置において、
前記施設表示手段によって表示された施設の中から選択された施設までの推奨経路を演算する経路演算手段を備えることを特徴とするナビゲーション装置。
【発明の詳細な説明】
【技術分野】
【０００１】
本発明は、分類された施設区分から所望の施設を検索することができる地図表示装置およびナビゲーション装置に関する。
【背景技術】
【０００２】
特許文献１のナビゲーション装置では、次の操作により目的地を設定する。まず、メニュー画面を表示する操作を行い、画面上の目的地区分リストから飲食店、スポーツなどの目的地区分を選択すると、都道府県名などの行政区画リストが表示される。このリストから行政区画を選択して目的地の候補地のリストを表示し、目的地の候補地のリストから目的地を選択することによって目的地を設定する。
【特許文献１】特開平９−３３００２５号公報
【発明の開示】
【発明が解決しようとする課題】
【０００３】
特許文献１のナビゲーション装置では、目的地を選択するとき、所定のメニュー画面を表示したり、行政区画のリストから所望の行政区画を選択したりする操作が必要であり、操作が煩雑になるという問題点がある。
【課題を解決するための手段】
【０００４】
（１）請求項１の発明の地図表示装置は、表示モニタに表示された行政区画名を選択する選択手段と、選択手段によって行政区画名が選択されると、分類された施設区分を表示する施設区分表示手段と、施設区分表示手段によって表示された施設区分の中から選択された施設区分の施設を、選択手段によって選択された行政区画名に係る行政区画の範囲内で検索する検索手段と、検索手段によって検索された施設を表示する施設表示手段とを備えることを特徴とする。
（２）請求項２の発明は、請求項１に記載の地図表示装置において、施設表示手段によって表示された施設の中から選択された施設についての詳細情報を表示する詳細情報表示手段を備えることを特徴とする。
（３）請求項３の発明は、請求項１または２に記載の地図表示装置において、表示モニタの表示画面にはタッチパネルが設けられ、選択手段は、タッチパネルの押圧操作によって行政区画名を選択することを特徴とする。
（４）請求項４の発明は、請求項１乃至３のいずれか１項に記載の地図表示装置において、選択手段によって選択することができる行政区画名を点滅表示することを特徴とする。
（５）請求項５の発明は、請求項１に記載の地図表示装置において、施設区分表示手段は、選択手段によって選択された行政区画名に係る行政区画の上位の行政区画名を表示し、検索手段は、上位の行政区画名が選択された場合、施設区分表示手段によって表示された施設区分の中から選択された施設区分の施設を、上位の行政区画名に係る行政区画の範囲内で検索することを特徴とする。
（６）請求項６の発明は、請求項１に記載の地図表示装置において、施設区分表示手段は、選択手段によって選択された行政区画名に係る行政区画内に存在する施設区分のみを表示する、または選択手段によって選択された行政区画名に係る行政区画内に存在する施設区分を行政区画内に存在しない施設区分と表示態様を変えて表示することを特徴とする。
（７）請求項７の発明は、請求項１に記載の地図表示装置において、表示モニタに行政区画名が表示されると表示された行政区画名に係る行政区画内の施設を抽出する抽出手段を備え、検索手段は、施設区分表示手段によって表示された施設区分の中から選択された施設区分の施設を、抽出手段によって抽出された施設の範囲内で検索することを特徴とする。
（８）請求項８の発明のナビゲーション装置は、請求項１乃至７のいずれか１項に記載の地図表示装置を備えることを特徴とする。
（９）請求項９の発明は、請求項８に記載のナビゲーション装置において、施設表示手段によって表示された施設の中から選択された施設までの推奨経路を演算する経路演算手段を備えることを特徴とする。
【発明の効果】
【０００５】
本発明によれば、検索を開始するためのメニュー画面を表示したり、行政区画のリストから所望の施設が含まれる行政区画を選択したりする操作を必要とせず、簡単に所望の施設を検索することができる。
【発明を実施するための最良の形態】
【０００６】
本発明の実施形態によるナビゲーション装置の構成を図１に示す。ナビゲーション装置１は、タッチパネル１８の押圧操作によって種々の機能を動作させることができる。ナビゲーション装置１は、制御回路１１、ＲＯＭ１２、ＲＡＭ１３、現在地検出装置１４、画像メモリ１５、表示モニタ１６、入力装置１７、タッチパネル１８およびディスクドライブ１１０を有している。ディスクドライブ１１０には、地図データが記録されたＤＶＤ−ＲＯＭ１１１が装填される。
【０００７】
制御回路１１は、マイクロプロセッサおよびその周辺回路からなり、ＲＡＭ１３を作業エリアとしてＲＯＭ１２に格納された制御プログラムを実行して各種の制御を行う。この制御回路１１がＤＶＤ−ＲＯＭ１１１に記憶された地図データに基づいて所定の経路探索処理を行うと、その処理結果が推奨経路として表示モニタ１６に表示される。
【０００８】
現在地検出装置１４は車両の現在地を検出する装置であり、たとえば、車両の進行方向を検出する振動ジャイロ１４ａ、車速を検出する車速センサ１４ｂ、ＧＰＳ（ Global Positioning System ）衛星からのＧＰＳ信号を検出するＧＰＳセンサ１４ｃなどからなる。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは道路地図描画用データや各種の図形データからなり、それらはディスクドライブ１１０によって読み込まれるＤＶＤ−ＲＯＭ１１１に記憶された地図データに基づいて、適宜生成される。ナビゲーション装置１は、このようにして生成された画像データを用いて地図表示など行うことができる。
【００１０】
ディスクドライブ１１０は、装填されたＤＶＤ−ＲＯＭ１１１から地図を表示するための地図データを読み出す。地図データは、地図表示用データ、経路探索用データ、施設データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。施設データには、それぞれの施設について、ジャンルなどの所定の分類による施設区分、位置座標、住所など施設情報が格納されている。これらの情報を検索することによって所望の施設を抽出することができる。なお、ＤＶＤ−ＲＯＭ１１１以外の他の記録メディア、たとえばＣＤ−ＲＯＭやハードディスクなどより地図データを読み出してもよい。
【００１１】
表示モニタ１６は、地図データなどの各種情報に基づいて、自車位置付近の道路地図などの各種情報を画面表示としてユーザに提供する。入力装置１７は、ユーザが各種コマンドの設定などするための操作キーを有し、操作パネルやリモコンなどによって実現される。ユーザは、表示モニタ１６の表示画面の指示にしたがって入力装置１７を手動で操作することにより、目的地を選択して設定する。
【００１２】
目的地が設定されると、ナビゲーション装置１はＧＰＳセンサ１４ｃにより検出された現在地を出発地として目的地までの経路演算を所定のアルゴリズムに基づいて行う。このようにして求められたルート（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路にしたがって車両が走行できるように、ユーザに対して画面や音声などによる進行方向指示を行い、車両を経路誘導する。
【００１３】
タッチパネル１８は、表示モニタ１６の表面に積層される透明のタッチスイッチであり、表示モニタ１６に表示される画像はタッチパネル１８を通して表示される。タッチパネル１８は、タッチパネル１８上の操作位置に応じた信号をタッチパネルコントロール部１９に送出し、タッチパネルコントロール部１９はタッチパネル１８の押圧位置を算出する。
【００１４】
表示モニタ１６の表示画面を押圧するとタッチパネル１８が押圧される。タッチパネル１８は入力装置１７と同様に入力機能を有する。表示モニタ１６に表示された地図画面や各種ボタン、表示メニューなどを指で押圧するとタッチパネル１８が押圧され、タッチパネルコントロール部１９によって押圧位置が算出される。そして、算出された押圧位置は制御回路１１に入力され、目的地を設定したり、各種ボタンや表示メニューに対応する機能を実行させたりする。
【００１５】
次に、本発明の実施形態のナビゲーション装置１における施設選択操作について、図２〜９を参照して説明する。ここで、ユーザは、道路地図をスクロールして○○市を表示したときに、○○市役所の○×出張所の開所時間を知りたいと考えたものとする。
【００１６】
図２は、本発明の実施形態における道路地図を説明するための図である。道路地図２０には、区や市町村郡、都道府県の名称などの行政区画名である「○○市」２１が点滅表示されている。この点滅表示されている行政区画名「○○市」２１の表示範囲を押圧するとジャンル検索が可能となる。ジャンル検索とは、施設区分から選択して所望の施設を検索するものである。なお、図２の「××市」２２は点灯表示されており、この「××市」２２の表示範囲を押圧してもジャンル検索は行われない。
【００１７】
点滅表示されている「○○市」２１の表示箇所を押圧すると、図３に示すように、表示モニタ１６にはジャンル検索画面３０が表示される。ジャンル検索画面３０には、施設のジャンル３１ａ〜３１ｅがリスト表示される。ここで、ジャンル３１ａ〜３１ｅとは、所定のカテゴリーで分類した施設区分である。ユーザはジャンル３１ａ〜３１ｅの表示範囲を押圧することによって施設区分を選択することができる。○×出張所は、日常生活を送る上で必要な施設であるので、図３に示すように、ユーザは「生活」のジャンル３１ａの表示範囲を押圧したものとする。
【００１８】
ユーザが「生活」のジャンル３１ａの表示範囲を押圧すると、図４に示すように、表示モニタ１６には施設分類画面４０が表示される。施設分類画面４０には、施設の分類４１ａ〜４１ｅがリスト表示される。ここで、分類４１ａ〜４１ｅとは、押圧されたジャンル３１ａ〜３１ｅをさらに細かく分類した施設区分である。ユーザは分類４１ａ〜４１ｅの表示範囲を押圧することによって所望の施設区分を選択することができる。○×出張所は、市役所関係の施設であるので、図４に示すように、ユーザは「市役所」の分類４１ａの表示範囲を押圧したものとする。
【００１９】
ユーザが「市役所」の分類４１ａの表示範囲を押圧すると、図５に示すように、表示モニタ１６には施設表示画面５０が表示される。施設表示画面５０には、施設５１ａ〜５１ｅがリスト表示される。ここで、施設５１ａ〜５１ｅとは、押圧された分類４１ａ〜４１ｅに含まれ、かつ、「○○市」の市内に存在する施設である。ユーザは施設５１ａ〜５１ｅの表示範囲を押圧することによって所望の施設を選択することができる。ユーザは○×出張所の開所時間を知りたいので、「○×出張所」５１ｃの表示範囲を押圧したものとする。
【００２０】
「○×出張所」５１ｃの表示範囲を押圧すると、図６に示すように、表示モニタ１６には情報表示−目的地設定選択画面６０が表示される。情報表示−目的地設定選択画面６０には、情報表示ボタン６１ａと目的地設定ボタン６１ｂとが表示される。
【００２１】
ユーザが情報表示ボタン６１ａを押圧すると、図７に示すように施設詳細情報画面７０が表示される。施設詳細情報画面７０には、「○×出張所」についての詳細情報７１と目的地設定ボタン７２と了解ボタン７３とが表示される。ユーザは、詳細情報７１を閲覧することによって○×出張所の開所時間など○×出張所に関する情報を知ることができる。目的地設定ボタン７２は、図６の情報表示−目的地設定選択画面６０に表示された目的地設定ボタン６１ｂと同様な機能を有するボタンであり、詳細は後述する。了解ボタン７３は施設選択操作を終了するためのボタンであり、押圧するとジャンル検索画面３０、施設分類画面４０、施設表示画面５０、情報表示−目的地設定選択画面６０および施設詳細情報画面７０が消去される。
【００２２】
ユーザが図６または図７に示す目的地設定ボタン６１ｂ，７２を押圧すると、図８に示すように○×出張所８３が表示画面の中央に表示されるように道路地図２０が表示される。表示画面には、道路地図２０とともに確認画面８０が表示される。確認画面８０には、「ここでよろしいですか？」という目的地設定の確認のためのメッセージ８１とともにＹＥＳボタン８２ａとＮＯボタン８２ｂとが表示される。ＹＥＳボタン８２ａを押圧すると○×出張所８３が推奨経路を経路演算するための目的地として設定される。そして、ユーザの現在地を出発地として推奨経路が演算され、経路誘導を受けることができる。ＮＯボタン８２ｂを押圧するとジャンル検索画面３０、施設分類画面４０、施設表示画面５０、情報表示−目的地設定選択画面６０および確認画面８０が消去され、施設選択操作を終了することができる。ユーザは、施設詳細情報画面７０より○×出張所の開所時間を確認した後、○×出張所まで経路誘導を受けることができる。
【００２３】
次に、図９および図１０のフローチャートを参照して、ジャンル検索より検索した施設を推奨経路の目的地として設定する目的地設定処理について説明する。図９および図１０の処理は、制御回路１１において表示モニタ１６に道路地図２０が表示されるとスタートするプログラムを実行して行われる。
【００２４】
ステップＳ９０１では、ジャンル検索可能な行政区画名が押圧されたか判定する。行政区画名が押圧されたか否かの判定は、行政区画名の表示範囲に設定されたタッチエリアにおいて押圧を検出したか否かによって行われる。押圧された場合はステップＳ９０１が肯定判定され、ステップＳ９０２へ進む。押圧されていない場合はステップＳ９０１を繰り返す。
【００２５】
ステップＳ９０２では、ジャンル検索画面３０を表示モニタ１６に表示する。ステップＳ９０３では、ジャンル検索画面３０に表示されたジャンル３１ａ〜３１ｅのうち、押圧されたジャンル３１ａの施設分類画面４０を表示モニタ１６に表示する。ステップＳ９０４では、ＤＶＤ−ＲＯＭ１１１に格納されている施設データより、押圧された分類の施設のうちの押圧された行政区画名に係る行政区画内に存在する施設を検索する。
【００２６】
ステップＳ９０５では、施設表示画面５０を表示モニタ１６に表示し、検索された施設５１ａ〜５１ｅをリスト表示する。ステップＳ９０６では、検索された施設５１ａ〜５１ｅの中から施設が押圧されたか判定する。押圧された場合はステップＳ９０６が肯定判定され、ステップＳ９０７へ進む。押圧されていない場合はステップＳ９０６を繰り返す。
【００２７】
ステップＳ９０７では、情報表示−目的地設定選択画面６０を表示モニタ１６に表示する。ステップＳ９０８では、情報表示ボタン６１ａが押圧されたか判定する。押圧された場合はステップＳ９０８が肯定判定され、図１０のステップＳ１００１へ進む。押圧されていない場合はステップＳ９０８が否定判定され、ステップＳ９０９へ進む。
【００２８】
ステップＳ９０９では、目的地設定ボタン６１ｂが押圧されたか判定する。押圧された場合はステップＳ９０９が肯定判定され、図１０のステップＳ１００３へ進む。押圧されていない場合はステップＳ９０９が否定判定され、ステップＳ９０８へ戻る。
【００２９】
図１０のステップＳ１００１では、施設詳細情報画面７０を表示モニタ１６に表示する。ステップＳ１００２では、施設詳細情報画面７０に表示された目的地設定ボタン７２が押圧されたか判定する。押圧された場合はステップＳ１００２が肯定判定され、ステップＳ１００３へ進む。押圧されていない場合はステップＳ１００２が否定判定され、ステップＳ１００８へ進む。
【００３０】
ステップＳ１００３では、図９のステップＳ９０６で押圧されたと判定された施設５１ｃが表示モニタ１６の表示画面の中央に表示されるように道路地図２０を表示する。ステップＳ１００４では、確認画面９０を表示モニタ１６に表示する。ステップＳ１００５では、ＹＥＳボタン８２ａが押圧されたか判定する。押圧された場合はステップＳ１００５が肯定判定され、ステップＳ１００６へ進む。押圧されていない場合はステップＳ１００５が否定判定され、ステップＳ１００９へ進む。
【００３１】
ステップＳ１００６では、現在地検出装置１４によって検出された現在地を出発地として設定し、ステップＳ９０６で押圧されたと判定された施設５１ｃを目的地として設定し、推奨経路を演算する。ステップＳ１００７では、推奨経路にしたがって車両が走行できるように経路誘導する。
【００３２】
ステップＳ１００８では、了解ボタン７３が押圧されたか判定する。押圧された場合は目的地設定処理を終了する。押圧されていない場合はステップＳ１００２へ戻る。ステップＳ１００９では、ＮＯボタン８２ｂが押圧されたか判定する。押圧された場合は目的地設定処理を終了する。押圧されていない場合はステップＳ１００５へ戻る。
【００３３】
以上の本発明の実施の形態によるナビゲーション装置１は次のような作用効果を奏する。
（１）施設区分から所望の施設を検索する場合、道路地図２０に表示された行政区画名２１を押圧することによって、施設区分を選択するためのリストが表示され、リストから施設区分を選択するとその行政区画２１の範囲内の施設を検索する。したがって、検索を開始するためのメニュー画面を表示したり、行政区画のリストから所望の行政区画を選択したりする操作が必要なく、簡単に所望の施設５１ｃを検索することができる。また、検索結果から施設５１ｃの詳細情報７１を表示したり、施設を目的地として設定したりすることができるので利便性が向上する。
【００３４】
（２）ジャンル検索可能な行政区画名２１を点滅表示させたので、表示された行政区画名２１がジャンル検索することができるか否かがすぐわかる。したがって、ジャンル検索することができない行政区画名を誤って選択することがない。
【００３５】
以上の実施の形態のナビゲーション装置１を次のように変形することができる。
（１）行政区画名が押圧された後、押圧された行政区画名に係る行政区画内の施設検索処理を開始するものとしたが、行政区画名が表示画面に表示されたら、表示された行政区画名に係る行政区画内の施設を予め抽出し、行政区画名が押圧された後はその抽出した施設の中から検索するようにしてもよい。このようにすることによって、行政区画名が押圧された後の検索を速くすることができる。また、この場合、行政区画内の施設の抽出が完了した後、行政区画名が点滅表示されるようにしてもよい。
【００３６】
（２）ジャンル検索可能な行政区画名を点滅表示したが、ジャンル検索可能な行政区画名であることがわかれば点滅表示に限定されない。たとえば、行政区画名の表示色によってジャンル検索の可否を表示してもよい。
【００３７】
（３）道路地図上に表示された行政区画名を選択できれば、行政区画名を選択する手段はタッチパネル１８の押圧操作に限定されない。たとえば、ジョイスティックの操作によって行政区画名を選択するようにしてもよい。
【００３８】
（４）行政区画名を押圧したときに表示される施設区分のリストに、押圧した行政区画名に係る行政区画を含み、押圧した行政区画名に係る行政区画より広い範囲の行政区画（以下、上位の行政区画と呼ぶ）の行政区画名を表示し、上位の行政区画の範囲で検索できるようにしてもよい。たとえば、図１１に示すようにジャンル検索画面３０にジャンル３１ａ〜３１ｄとともに「○○市」の上位の行政区画である「□○県」１１１を表示し、「□○県」１１１の表示範囲を押圧した後ジャンル３１ａ〜３１ｄを押圧すると、□○県の範囲で施設が検索されるようにしてもよい。上位の行政区画について施設を検索したくなったとき、道路地図２０をスクロールして上位の行政区画名を表示する必要はないので、利便性が向上する。
【００３９】
（５）ジャンル検索画面３０や施設分類画面４０にリスト表示される施設区分は、押圧された行政区画名に係る行政区画内に存在する施設区分のみリスト表示するようにしてもよい。また、押圧された行政区画名に係る行政区画内に存在する施設区分を存在しない区分と表示態様を変えて表示するようにしてもよい。たとえば、行政区画内に存在しない施設区分を薄く表示するようにしてもよい。施設が１件も検索されないという無駄な結果を防止することができる。
【００４０】
（６）地図表示装置であれば、ナビゲーション装置に限定されない。たとえば、携帯電話やＰＤＡ（ Personal Digital Assistance ）などでもよい。
【００４１】
特許請求の範囲の要素と実施の形態との対応関係を説明する。
本願発明の選択手段は制御回路１１およびタッチパネル１８に対応し、施設区分表示手段は制御回路１１および表示モニタ１６に対応する。検索手段は制御回路１１およびＤＶＤ−ＲＯＭ１１１に対応し、施設表示手段は制御回路１１および表示モニタ１６に対応する。詳細情報表示手段は制御回路１１および表示モニタ１６に対応し、経路演算手段は制御回路１１に対応する。抽出手段は制御回路１１およびＤＶＤ−ＲＯＭ１１１に対応する。なお、以上の説明はあくまで一例であり、発明を解釈する上で、上記の実施形態の構成要素と本発明の構成要素の対応関係になんら限定されるものではない。
【図面の簡単な説明】
【００４２】
【図１】本発明の実施形態のナビゲーション装置の構成を示すブロック図である。
【図２】押圧するとジャンル検索可能となる行政区画名を説明するための図である。
【図３】ジャンル検索画面を説明するための図である。
【図４】施設分類画面を説明するための図である。
【図５】施設表示画面を説明するための図である。
【図６】情報表示−目的地設定選択画面を説明するための図である。
【図７】施設詳細情報画面を説明するための図である。
【図８】検索した施設を目的地として設定する操作を説明するための図である。
【図９】施設のジャンル検索の処理を説明するためのフローチャートである。
【図１０】施設の詳細情報表示処理および目的地設定処理を説明するためのフローチャートである。
【図１１】押圧した行政区画より広い範囲の行政区画における施設を検索する操作を説明するための図である。
【符号の説明】
【００４３】
１  ナビゲーション装置
１１  制御回路
１３  ＲＡＭ
１４  現在地検出装置
１６  表示モニタ
１８  タッチパネル
２１  行政区画名
３１ａ〜３１ｅ  ジャンル
５１ａ〜５１ｅ  施設
【図１】
2007199979.tif 000003
【図２】
2007199979.tif 000004
【図３】
2007199979.tif 000005
【図４】
2007199979.tif 000006
【図５】
2007199979.tif 000007
【図６】
2007199979.tif 000008
【図７】
2007199979.tif 000009
【図８】
2007199979.tif 000010
【図９】
2007199979.tif 000011
【図１０】
2007199979.tif 000012
【図１１】
2007199979.tif 000013